(57)【特許請求の範囲】
【請求項１】
隣り合う外壁パネルの間に形成される目地に装着され、上記目地内の中央側に位置する芯部と、上記芯部から突設されて外壁パネルの外壁面材の小口面の間に位置する１次止水部と、上記芯部から突設されて上記外壁面材の裏面側に位置する２次止水部と、上記１次止水部を上記芯部から裂き取るのを可能にする裂き取り領域と、を備えるガスケットを用いる目地構造の修繕方法であって、上記目地内に埋め込まれている上記ガスケットを取り出し、このガスケットから上記１次止水部を裂き取ったガスケットを上記目地に埋め戻し、上記１次止水部が裂き取られた箇所の上記芯部の端面にシーリングバッカーを設け、このシーリングバッカー上に不定形のシーリング材を塗布することを特徴とする目地構造の修繕方法。
【請求項２】
隣り合う外壁パネルの間に形成される目地に装着され、上記目地内の中央側に位置する芯部と、上記芯部から突設されて外壁パネルの外壁面材の小口面の間に位置する１次止水部と、上記芯部から突設されて上記外壁面材の裏面側に位置する２次止水部と、上記１次止水部を上記芯部から裂き取るのを可能にする裂き取り領域と、を備えるガスケットにおける上記１次止水部が裂き取られたガスケットを隣り合う外壁パネルの間に形成される目地に装着するためのガスケット挿入具であって、上記芯部から突設された上記２次止水部の根元部を押す２枚の板部材を備えており、上記根元部に当たる上記板部材の先端側が略円弧形状に形成されていることを特徴とするガスケット挿入具。
【請求項３】
隣り合う外壁パネルの間に形成される目地に装着され、上記目地内の中央側に位置する芯部と、上記芯部から突設されて外壁パネルの外壁面材の小口面の間に位置する１次止水部と、上記芯部から突設されて上記外壁面材の裏面側に位置する２次止水部と、上記１次止水部を上記芯部から裂き取るのを可能にする裂き取り領域と、を備えるガスケットにおける上記１次止水部が裂き取られたガスケットを隣り合う外壁パネルの間に形成される目地に装着するためのガスケット挿入具であって、上記芯部から突設された上記２次止水部の根元部を押す２枚の板部材を備えるとともに、上記１次止水部が裂き取られたガスケットの芯部よりも上記２枚の板部材の先端側を広くさせた状態を維持する弾性部材を備えることを特徴とするガスケット挿入具。
【請求項４】
隣り合う外壁パネルの間に形成される目地に装着され、上記目地内の中央側に位置する芯部と、上記芯部から突設されて外壁パネルの外壁面材の小口面の間に位置する１次止水部と、上記芯部から突設されて上記外壁面材の裏面側に位置する２次止水部と、上記１次止水部を上記芯部から裂き取るのを可能にする裂き取り領域と、を備えるガスケットにおける上記１次止水部が裂き取られたガスケットを隣り合う外壁パネルの間に形成される目地に装着するためのガスケット挿入具であって、上記芯部から突設された上記２次止水部の根元部を押す２枚の板部材を備えるとともに、上記外壁面材の屋外面に接触し、当該屋外面から上記２枚の板部材の先端部までの距離を決定する当たり部を備えることを特徴とするガスケット挿入具。
【請求項５】
請求項４に記載のガスケット挿入具において、上記当たり部は、上記外壁面材の小口面の間を視認することを可能にするように分離状態に設けられていることを特徴とするガスケット挿入具。
【発明の詳細な説明】
【技術分野】
【０００１】
この発明は、建物の目地に設けられるガスケット、目地構造の施工方法、目地構造の修繕方法およびガスケット挿入具に関する。
【背景技術】
【０００２】
特許文献１には、建物の目地に設けられるガスケットが開示されている。このガスケットは、隣り合う外壁面材の小口面の間（縦目地）に位置する第１フィン、上記外壁面材の裏面に設けられている縦胴縁の小口面の間に位置する第２フィン、および上記縦胴縁の裏面に設けられている断熱ボードの小口面の間に位置する第３フィンを備えている。
【先行技術文献】
【特許文献】
【０００３】
【特許文献１】特開２０１３−１７４１２３号公報
【発明の概要】
【発明が解決しようとする課題】
【０００４】
しかしながら、上記縦目地の幅と上記第１フィンの幅との差異が大きいと、当該縦目地に上記第１フィンが嵌まらない問題、或いは当該縦目地と上記第１フィンとの間に隙間が生じるといった問題が生じる。この場合、新たにサイズが異なるガスケットを手配するとなると、工期が遅延するなどの別の問題が生じる。
【０００５】
この発明は、上記の事情に鑑み、外壁パネルの外壁面材の小口面の間に位置する１次止水部と当該小口面の幅との差異が大きい場合に、１次止水側を湿式のシーリングに切り替えて対処することを容易にするガスケット、このガスケットを用いた目地構造の施工方法、目地構造の修繕方法およびガスケット挿入具を提供することを課題とする。
【課題を解決するための手段】
【０００６】
この発明のガスケットは、上記の課題を解決するために、隣り合う外壁パネルの間に形成される目地に装着されるガスケットにおいて、上記目地内の中央側に位置する芯部と、上記芯部から突設されて外壁パネルの外壁面材の小口面の間に位置する１次止水部と、上記芯部から突設されて上記外壁面材の裏面側に位置する２次止水部と、上記１次止水部を上記芯部から裂き取るのを可能にする裂き取り領域と、を備えることを特徴とする。
【０００７】
上記の構成であれば、上記１次止水部を上記芯部から裂き取ることができるので、外壁パネルの外壁面材の小口面の間に位置する上記１次止水部と当該小口面の幅との差異が大きい場合には、上記１次止水部を上記芯部から裂き取り、この１次止水側を湿式のシーリングに切り替えて施工することが容易になる。
【０００８】
上記２次止水部は、上記外壁面材の裏面に設けられている胴縁の間の上記目地となる空間内で上記芯部から目地幅方向に突出し、上記空間内へ侵入した水を受け止めて流すレインバリヤ部と、上記胴縁の裏面に設けられている板材の小口面の間の箇所で上記芯部から目地幅方向に突出し、当該箇所と上記空間との間を封じるウインドバリヤ部と、を備えてもよい。
【０００９】
また、この発明の目地構造の施工方法は、上記ガスケットを用いる目地構造の施工方法であって、上記１次止水部を上記芯部から裂き取り、上記２次止水部を上記目地に埋め込み、上記１次止水部が裂き取られた箇所の上記芯部の端面にシーリングバッカーを設け、このシーリングバッカー上に不定形のシーリング材を塗布することを特徴とする。かかる施工方法であれば、上記１次止水部を上記芯部から裂き取り、この１次止水部が裂き取られた箇所の上記芯部の端面に上記シーリングバッカーを設けるので、上記不定形のシーリング材の塗布による湿式のシーリングへの切り替えが容易になる。
【００１０】
また、この発明の目地構造の修繕方法は、上記ガスケットを用いる目地構造の修繕方法であって、上記目地内に埋め込まれている上記ガスケットから上記１次止水部を裂き取り、上記１次止水部が裂き取られた箇所の上記芯部の端面にシーリングバッカーを設け、このシーリングバッカー上に不定形のシーリング材を塗布することを特徴とする。かかる修繕方法であれば、元々目地内に埋め込まれていた上記ガスケットから上記１次止水部を裂き取り、上記不定形のシーリング材の塗布による湿式のシーリングへの切り替えが行える。元々目地内に埋め込まれていた上記ガスケットの２次止水部は再利用するので、低コストで目地構造の修繕が行える。
【００１１】
また、この発明の目地構造の修繕方法は、上記ガスケットを用いる目地構造の修繕方法であって、上記目地内に埋め込まれている上記ガスケットを取り出し、このガスケットから上記１次止水部を裂き取ったガスケットを上記目地に埋め戻し、上記１次止水部が裂き取られた箇所の上記芯部の端面にシーリングバッカーを設け、このシーリングバッカー上に不定形のシーリング材を塗布することを特徴とする。
かかる修繕方法であれば、上記目地内に埋め込まれていた上記ガスケットを一旦取り出して、このガスケットから上記１次止水部を裂き取るので、この裂き取りの作業が容易に行える。
【００１２】
また、この発明のガスケット挿入具は、上記１次止水部が裂き取られた上記ガスケットを隣り合う外壁パネルの間に形成される目地に装着するためのガスケット挿入具であって、上記芯部から突設された上記２次止水部の根元部を押す２枚の板部材を備えることを特徴とする。
【００１３】
かかる構成であれば、上記２枚の板部材によって上記２次止水部の根元部が押されるので、押し込む力を確実にガスケットに与えることができるとともに、上記１次止水部が裂き取られた箇所の上記芯部を上記２枚の板部材によって挟持する形となるので、上記ガスケットが目地内で傾くのを防止できる。したがって、上記１次止水部が裂き取られたガスケットの目地への装着作業を迅速且つ的確に行えるようになる。
【００１４】
上記１次止水部が裂き取られたガスケットの芯部よりも上記２枚の板部材の先端側を広くさせた状態を維持する弾性部材を備えてもよい。これによれば、上記芯部よりも上記２枚の板部材の先端側が広いことで、上記１次止水部が裂き取られたガスケットの芯部を挟む際に上記板部材の先端を広げる操作が不要になる等、上記ガスケットの装着作業が行い易くなる。
【００１５】
上記外壁面材の屋外面に接触し、当該屋外面から上記２枚の板部材の先端部までの距離を決定する当たり部を備えてもよい。これによれば、上記１次止水部が裂き取られたガスケットを目地内の適切な位置（深さ）に装着することが容易に行える。
【００１６】
上記当たり部は、上記外壁面材の小口面の間を視認することを可能にするように分離状態に設けられていてもよい。これによれば、上記小口面の間から上記ガスケットを、その姿勢を確認しながら装着することができる。
【発明の効果】
【００１７】
本発明であれば、外壁パネルの外壁面材の小口面の間に位置する１次止水部と当該小口面の幅との差異が大きい場合でも、１次止水側を湿式のシーリングに切り替えて施工することが容易になるという効果を奏する。
【図面の簡単な説明】
【００１８】
【図１】本発明の実施形態のガスケットが用いられた目地止水構造を目地幅が狭い状況を想定して示した概略の水平断面図である。
【図２】本発明の実施形態のガスケットが用いられた目地止水構造を目地幅が広い状況を想定して示した概略の水平断面図である。
【図３】図１および図２に示したガスケットを拡大して示した概略の断面図である。
【図４】１次止水部が裂き取られた図３のガスケットをガスケット挿入具によって目地に装着する様子を説明する説明図である。
【図５】１次止水部が裂き取られた図３のガスケットを用いた目地構造を示した概略の断面図である。
【図６】本発明の実施形態のガスケット挿入具を示した概略の斜視図である。
【発明を実施するための形態】
【００１９】
図１および図２に示すように、外壁パネル１は、外壁面材２と、縦胴縁３と、板材（グラスウール板等）４と、上記外壁面材２を取り付ける支持材となるフレーム５とを備えている。上記縦胴縁３は上記外壁面材２の裏面側（屋内側）に位置しており、上記板材４は上記縦胴縁３の裏面側（屋内側）に位置している。
【００２０】
上記縦胴縁３および上記板材４は、図示しない釘によって上記フレーム５に固定されている。また、上記板材４には沈み込み防止用の樹脂ピン６が設けられており、上記縦胴縁３に上記釘が打ち込まれるときに上記板材４が沈み込むのが防止される。また、上記外壁面材２の裏面には図示しない係合穴が形成されている。そして、上記フレーム５には、図示しない裏面固定ビスがねじ込まれており、この裏面固定ビスの突出頭部を上記係合穴に係合することで上記外壁面材２が上記フレーム５に支持される。
【００２１】
左右に隣り合う外壁パネル１間には縦目地が形成される。そして、この縦目地において、上記縦胴縁３の間の目地となる空間の幅は、上記外壁面材２の小口面の間の目地となる空間の幅および上記板材４の小口面の間の目地となる空間の幅よりも広くなっている。
【００２２】
上記縦目地には、当該縦目地をシールするガスケット７が設けられている。このガスケット７は、例えば、ＥＰＤＭ（エチレン・プロピレンゴム）などの合成ゴムからなる。もちろん、このような素材に限るものではない。また、ＴＰＯ（オレフィン系エラストマー）のような熱可塑性エラストマーや、ＰＶＣ（ポリ塩化ビニル）などの樹脂でもよい。このガスケット７の素材としてはゴム様弾性体が好ましく、特にガスケットの芯部はポリプロピレン（ＰＰ）やポリエチレン（ＰＥ）などの柔軟性の低い素材を用いることも可能である。
【００２３】
上記ガスケット７は、上記外壁面材２の小口面の間の目地となる空間から入れることができる。このガスケット７の装着には図示しない治具を用いることができ、この治具によって屋外側からガスケット７を押し込むと、このガスケット７が規定の位置まで押し込まれるようになっている。
【００２４】
上記ガスケット７は、上記目地の中央側に位置する芯部７０を有している。この芯部７０は、その長手方向に直交する断面の形状が上記目地の奥行方向に長くされる形状を有しており、屋内側（奥側）から屋外側（手前側）の方向に順に、第１フィン７１、第２フィン７２、第３フィン７３、第４フィン７４、第５フィン７５および第６フィン７６を備えている。これらフィンは、上記芯部７０から目地幅方向両側に突出するように形成されている。
【００２５】
そして、例えば、上記第４フィン７４、第５フィン７５および第６フィン７６によって、１次止水部７０１（図３参照）が構成されており、上記第１フィン７１、第２フィン７２および第３フィン７３によって２次止水部７０２が構成されている。上記１次止水部７０１は、上記芯部７０から突設されて外壁パネル１の外壁面材２の小口面の間に位置するものとなり、上記２次止水部７０２は、上記芯部７０から突設されて上記外壁面材２の裏面側に位置するものとなる。また、上記第４フィン７４の奥側箇所の上記芯部７０には、上記１次止水部７０１を上記芯部７０から手で裂き取るのを可能にする裂き取り領域としてのノッチ部７０３が形成されている。このノッチ部７０３は、Ｕ溝状あるいはＶ溝状等に形成されており、上記芯部７０を部分的に薄肉化している。また、上記ノッチ部７０３は上記第４フィン７４の近傍位置に形成されており、上記第３フィン７３よりも屋外側となる位置に上記芯部７０が残されるようにしている。なお、フィンの根元部の近傍は、当該根元部よりも厚みが薄いので、上記ノッチ部７０３が特に形成されていなくても、裂き取り領域となることができる。また、上記ガスケット７の端部において、上記根元部の近傍に鋏で切込をいれると、この切込がきっかけとなって、裂き取りを容易に行うことができる。
【００２６】
上記第１フィン７１は、上記板材４の小口面の間の箇所で当該小口面の間を封止するとともに、上記芯部７０を上記板材４の小口面の間の中央へとガイドするように機能する。上記第１フィン７１の屋外側の面には、当該ガスケット７の長手方向に凹溝が形成されており、この凹溝によって上記第１フィン７１の先端側が屋外方向に曲がり易くなっている。
【００２７】
上記第２フィン７２は、上記板材４の小口面を目地幅方向に押圧する第１押圧部７２ａと、上記板材４の屋外側面を屋内方向に押圧する第２押圧部７２ｂとを備えており、上記板材４の小口面の間の箇所と上記縦胴縁３間の目地となる空間との間を封じるウインドバリヤ部として機能する。すなわち、上記縦胴縁３側の目地空間が上記板材４の屋内側の空間から上記第２フィン７２によって遮断されるので、上記縦胴縁３側の目地空間は、外気圧と等しい気圧で気流の生じにくい空間となる。
【００２８】
上記第１押圧部７２ａは、図３に示すように、自然状態において、屋外方向に斜めに向くように形成されており、上記第２押圧部７２ｂは、上記第１押圧部７２ａの先端部で屋内方向に斜めに向くように形成されている。また、上記第１押圧部７２ａおよび上記第２押圧部７２ｂの屋内側の面には、それぞれスポンジ７２ｃが接着されている。上記第１押圧部７２ａと上記第２押圧部７２ｂの境界部の屋内側の面は上記板材４の屋外側の角に位置する箇所であり、当該箇所にはガスケット７の長手方向に凹溝が形成されており、上記第２押圧部７２ｂが屋内方向に曲がり易くされている。また、上記凹溝の形成箇所にはスポンジは設けられていない。
【００２９】
上記第３フィン７３は、上記第２フィン７２から独立して形成されている。すなわち、上記第３フィン７３は、上記第２フィン７２の途中部から突出するのではなく、上記芯部７０から直に突出している。そして、上記第３フィン７３は、上記縦胴縁３の間の目地となる空間内で目地幅方向に突出しており、上記縦胴縁３の間の目地となる空間内へ侵入した水を受け止めて下方へ落とすレインバリヤ部として機能する。また、上記第３フィン７３の基部側は、自然状態において、屋外方向に斜めに向くように形成されている。また、上記第３フィン７３の屋外側の面上には、当該ガスケット７の長手方向に凹溝が形成されており、上記凹溝よりも先端側の部位は、上記外壁面材２の裏面に近づく方向に屈曲している。なお、上記第３フィン７３の先端部は上記外壁面材２の裏面に接触していないが、上記第３フィン７３の先端部が上記外壁面材２の裏面に接触する構造を採用してもよい。
【００３０】
上記第４フィン７４は、上記外壁面材２の小口面の間の目地となる空間内に位置するように形成されており、上記外壁面材２の小口面を目地幅方向に押圧する。上記第４フィン７４の上記芯部７０を含めた全体幅は、上記第３フィン７３の全体幅よりも狭くされる一方、上記外壁面材２の小口面の間の幅よりも広くされている。また、上記第４フィン７４は、上記第３フィン７３が目地挿入の際に屋外側の曲げられたときに重ならないように、上記第３フィン７３から離れて位置している。
【００３１】
上記第５フィン７５は、上記外壁面材２の小口面の間の目地となる空間内に位置するように形成されており、上記外壁面材２の小口面を目地幅方向に押圧する。上記第５フィン７５の上記芯部７０を含めた全体幅は、上記第４フィン７４の全体幅よりも広く形成されている。また、上記第５フィン７５の屋内側の面には、スポンジ７５ａが接着されている。
【００３２】
上記第６フィン７６は、上記外壁面材２の小口面の最も屋外側に位置し、上記小口面を目地幅方向に押圧するとともに、屋外に露呈して外壁の外観を形成する。なお、上記第６フィン７６は、意匠性を重視して他の部分とは異なる材料を用いて形成されることもある。上記第６フィン７６の上記芯部７０を含めた全体幅は、上記第５フィン７５の全体幅と同程度とされている。また、上記第６フィン７６および上記第５フィン７５は、上記芯部７０に接続されているだけでなく、互いに連結部７７によって連結されている。上記連結部７７と上記芯部７０との間には、空洞が形成されており、目地装着時において上記第５フィン７５が無理なく変形できるようになっている。
【００３３】
また、上記第５フィン７５と上記第６フィン７６の間の芯部７０には、芯金７８Ａが設けられている。さらに、上記第２フィン７２の基部の近傍の上記芯部７０には芯線７８Ｂが設けられている。
【００３４】
上記２次止水部７０２において、上記レインバリヤ部となる第３フィン７３と上記ウインドバリヤ部となる第２フィン７２とが独立して存在する構成例であれば、上記ウインドバリヤ部となる第２フィン７２を上記板材４の小口面の間の箇所に設ける一方で、上記レインバリヤ部となる第３フィン７３を上記外壁面材の裏面側に近づけて設けることができる。このため、上記第３フィン７３を長く形成する必要がなくなり、当該ガスケット７を目地に押し込む際の上記第３フィン７３と上記外壁面材２の小口面との接触による抵抗の発生状態を短くできるので、ガスケット装着の作業効率が向上する。また、上記独立構造によって上記第３フィン７３と第２フィン７２とが相互に影響し合わなくなるため、上記第２フィン７２を上記板材４に適切に圧接させることが可能になる。
【００３５】
上記第１押圧部７２ａを有する構成例であれば、上記板材４の小口面の間を押圧して気密を確保することができ、上記第２押圧部７２ｂを有する構成例であれば、上記板材４の屋外側面を押圧して気密を確保することができる。上記第１押圧部７２ａおよび上記第２押圧部７２ｂの両方を有すると、一方の押圧部による気密が不十分となる場合でも、他方の押圧部による気密を確保することが可能である。例えば、図１に示したように、目地幅が狭い場合では、上記第２押圧部７２ｂによる気密が不十分となるおそれがあるが、このような場合でも、上記第１押圧部７２ａによる気密を確保することが可能である。一方、図２に示したように、目地幅が広い場合では、上記第１押圧部７２ａによる気密が不十分となるおそれがあるが、このような場合でも、上記第２押圧部７２ｂによる気密を確保することが可能である。また、隣り合う上記板材４の屋外側の面に段差があったとしても、一方の板材４の側では上記第１押圧部７２ａによる気密が確保され、他方の板材４の側では上記第２押圧部７２ｂによる気密が確保されることが可能である。
【００３６】
このように、上記ガスケット７による目地構造の施工においては、上記外壁面材２の小口面の間（目地）が多少狭い場合であっても、また、多少広い場合であっても、共通のガスケット７で対応可能である。さらに、上記外壁面材２の小口面の間に位置する上記１次止水部７０１と当該小口面の幅との差異がかなり大きいような場合でも、図４に示すように、上記１次止水部７０１を上記芯部７０から裂き取って、このガスケット７（２次止水部７０２）を上記目地に埋め込むことができる。そして、図５に示すように、上記１次止水部７０１が裂き取られた箇所の上記芯部７０の端面にシーリングバッカー９１を設けることができる。このシーリングバッカー９１は、例えば、断面が方形状の発泡樹脂の一面に粘着面が形成されたものであり、上記目地の幅に合せて選定することができる。そして、上記粘着面を屋内側に向けて上記シーリングバッカー９１を目地に挿入し、上記粘着面を上記芯部７０の端面に接着する。その後、上記シーリングバッカー９１上に、不定形のシーリング材９２を塗布することができる。
【００３７】
上記ガスケット７であれば、外壁面材２の小口面の間に位置する上記１次止水部７０１と当該小口面の幅との差異が大きい場合には、上記１次止水部７０１を上記芯部７０から手で裂き取ることができるので、この１次止水側を湿式のシーリングに切り替えて施工することが容易になる。そして、上記施工方法であれば、上記１次止水部７０１が裂き取られた箇所の上記芯部７０の端面に上記シーリングバッカーを設けるので、上記不定形のシーリング材の塗布が容易になる。なお、上記第２フィン７２の基部の近傍の上記芯部７０には芯線７８Ｂが設けられているので、上記１次止水部７０１が裂き取られても、上記２次止水部７０２において不所望な伸び等が抑制される。
【００３８】
また、この実施形態では、図４に示したように、上記１次止水部７０１が裂き取られたガスケット７を目地に挿入するのにガスケット挿入具８を用いている。このガスケット挿入具８は、上記２次止水部７０２を構成するフィンのうち最も屋外側に位置する上記第３フィン７３の根元部を押す２枚の板部材８１を備える。上記根元部に当たる上記板部材８１の先端側は、図６に示すように、略円弧形状に形成されており、当該根元部を過度に変形させないようになっている。また、上記ガスケット挿入具８には、持ちやすいように角筒状の持ち手部８１ａが形成されている。
【００３９】
上記２枚の板部材８１によって、上記２次止水部７０２の根元部を押して上記ガスケット７を目地に押し込むことができるので、押し込む力を確実にガスケット７に与えることができるとともに、上記１次止水部７０１が裂き取られた箇所の上記芯部７０を上記２枚の板部材８１によって挟持する形となるので、上記ガスケット７が目地内で傾くのを防止できる。したがって、上記１次止水部７０１が裂き取られたガスケット７の目地への装着作業が迅速且つ的確に行える。
【００４０】
上記ガスケット挿入具８は、上記１次止水部７０１が裂き取られたガスケット７の芯部７０の幅よりも上記２枚の板部材８１の先端側を広くさせた状態を維持する弾性部材８２を備えている。この弾性部材８２は、例えば、略Ｕ字状の板バネからなり、図示しない螺子等によって上記板部材８１に固定されている。上記ガスケット挿入具８は、いわゆるトングのように操作することができる。この弾性部材８２を備える構成であれば、上記芯部７０よりも上記２枚の板部材８１の先端側が広いことで、上記１次止水部７０１が裂き取られたガスケットの芯部７０を挟む際に上記板部材８１の先端を広げる操作が不要になり、上記ガスケットの装着作業が行い易くなる。また、上記芯部７０を上記２枚の板部材８１によって挟持する形をとりつつ上記ガスケット挿入具８を移動させる操作も容易になる。なお、上記弾性部材８２は、そのＵ字における折り返し部を板部材８１の先端側に向けて設けられているが、これに限らず、上記折り返し側を持ち手部８１ａ側に向けて設けた構造としてもよい。
【００４１】
また、上記ガスケット挿入具８は、上記外壁面材２の屋外面に接触し、当該屋外面から上記２枚の板部材８１の先端部までの距離を決定する当たり部８３を備えている。この当たり部８３は、第１面が上記板部材８１に対向し、第２面が外壁面材２の屋外面に対向する断面略Ｌ字状の支持部材８３ａを備える。この支持部材８３ａは、上記第１面に装着された螺子８３ｃによって上記板部材８１に固定されている。また、上記第２面には、上記外壁面材２の屋外面を傷つけない樹脂やゴム素材等からなる接触部材８３ｂが接着されている。上記当たり部８３を備える構成であると、上記１次止水部７０１が裂き取られたガスケット７（２次止水部７０２）を目地内の適切な位置（深さ）に装着することが容易になる。
【００４２】
上記接触部材８３ｂは、上記外壁面材２の屋外面の意匠の凹凸の影響によって当該屋外面から上記板部材８１の先端側までの距離が極力変化しないように、上記縦目地方向に長く形成されるのが望ましい。その一方、上記接触部材８３ｂが存在することで、上記外壁面材２の小口面の間（目地）を視認することが妨げられる。この実施形態では、例えば、上記接触部材８３ｂおよび上記第２面の中央側部分を取り除いて分離状に形成し、上記接触部材８３ｂの実質的な長さを長くしつつ、当該当たり部８３の中央側から上記外壁面材２の小口面の間（目地）を視認できるようにしている。このような視認が可能であると、上記１次止水部７０１が裂き取られたガスケット７の姿勢を上記小口面の間から確認しながら、当該ガスケット７を装着することができるようになり、ガスケット７（２次止水部７０２）の装着不具合を確実に防止できる。
【００４３】
また、上記支持部材８３ａの第１面には調整孔８３ｄが形成されており、上記外壁面材２の屋外面から上記２枚の板部材８１の先端部までの距離を３段階で調整できるようになっている。これにより、例えば、上記外壁パネル１の仕様で上記外壁面材２の厚みが異なる場合においても、共通のガスケット挿入具８を用いて対処することが可能になる。なお、調整は３段階に限らず、２段階等でもよい。また、３段階調整のための孔形状は、例えばＥ字状の形状としてもよい。
【００４４】
図１および図２に示したように、上記１次止水部７０１が裂き取られていない本来の形のガスケット７によって上記目地構造が施工された後、上記１次止水部７０１が経年変化で劣化したり、或いは汚損のために交換することが望まれる場合がある。また、地震等の影響で上記１次止水部７０１による止水に不具合が生じるおそれもある。そこで、上記目地構造を修繕する方法を以下に述べる。
【００４５】
例えば、上記目地内に埋め込まれている上記ガスケット７から上記１次止水部７０１を裂き取る。そして、図５に示したように、上記１次止水部７０１が裂き取られた箇所の上記芯部７０の端面にシーリングバッカー９１を設け、このシーリングバッカー９１上に不定形のシーリング材９２を塗布する。かかる修繕方法であれば、元々目地内に埋め込まれていた上記ガスケット７から上記１次止水部７０１を裂き取るので、上記不定形のシーリング材９２の塗布による湿式のシーリングへの切り替えが容易に行える。また、元々目地内に埋め込まれていた上記ガスケットの２次止水部７０２は再利用するので、低コストで目地構造の修繕が行える。
【００４６】
上記の修繕方法では、上記ガスケット７が上記目地内に埋め込まれている状態のまま、このガスケット７から上記１次止水部７０１を裂き取ったが、これに限らず、一旦、上記目地内に埋め込まれている上記ガスケット７を取り出し、このガスケット７から上記１次止水部７０１を裂き取り、上記２次止水部７０２を上記目地に埋め戻すようにしてもよい。かかる修繕方法であれば、上記目地内に埋め込まれていた上記ガスケット７を一旦取り出して、このガスケット７から上記１次止水部７０１を裂き取るので、この裂き取りの作業が容易に行える。なお、２次止水部７０２を目地に戻すときには、上記ガスケット挿入具８を用いることができる。
【００４７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４８】
１      外壁パネル
２      外壁面材
３      縦胴縁
４      板材
７      ガスケット
７０    芯部
７１    第１フィン
７２    第２フィン（ウインドバリヤ部）
７３    第３フィン（レインバリヤ部）
７４    第４フィン
７５    第５フィン
７６    第６フィン
７０１  １次止水部
７０２  ２次止水部
７０３  ノッチ部（裂き取り領域）
８      ガスケット挿入具
８１    板部材
８２    弾性部材
８３    当たり部
９１    シーリングバッカー
９２    シーリング材
【図１】
0006285887.tif 000002
【図２】
0006285887.tif 000003
【図３】
0006285887.tif 000004
【図４】
0006285887.tif 000005
【図５】
0006285887.tif 000006
【図６】
0006285887.tif 000007